(57)【特許請求の範囲】
【請求項１】
それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による照明負荷たる負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な多数個の選択部を備えた第１の操作手段と、１つのスイッチと複数の負荷との対応付けに用いる機能を選択する第２の操作手段と、第１の操作手段の選択部ごとに負荷の調光レベルの設定を対応付けた第３の操作手段と、第１ないし第３の操作手段による設定内容を表示する表示手段と、第１の操作手段により設定された各負荷ごとのオン・オフの別を格納するオンオフデータ格納領域と第３の操作手段により設定された各負荷の調光レベルを格納するレベルデータ格納領域とを備え負荷ごとにオン／オフデータとレベルデータとを対応付けて格納するデータメモリと、前記データメモリに格納されているデータを伝送ユニットに転送する手段とを備え、表示手段は、第１の操作手段の選択部に対応付けて配置した表示器を備え、表示器において第１の操作手段でオンを選択した負荷に対応する部位に第３の操作手段で選択した調光レベルが表示されることを特徴とする遠隔監視制御システムのセレクタスイッチ。
【請求項２】
前記調光レベルが、１段階の光出力の変化が視覚的に認識できる程度となるように設定された複数段階から選択されることを特徴とする請求項１記載の遠隔監視制御システムのセレクタスイッチ。
【請求項３】
前記調光レベルが、伝送ユニットから制御端末器に伝送される伝送信号に含まれる調光レベルを獲得してデータメモリに設定されることを特徴とする請求項１記載の遠隔監視制御システムのセレクタスイッチ。
【請求項４】
前記データメモリに一括して制御する負荷を設定するとともに、伝送信号によって負荷の調光レベルを制御している状態で、データメモリ中のオンに設定された負荷に関する調光レベルを伝送信号から獲得してデータメモリに設定するシーン記憶手段を付加したことを特徴とする請求項３記載の遠隔監視制御システムのセレクタスイッチ。
【請求項５】
一括して制御する負荷を前記第１の操作手段により選択するとともに、伝送信号によって負荷の調光レベルを制御している状態で、第１の操作手段により選択された負荷のオン・オフと調光レベルとを伝送信号から獲得してデータメモリに設定するシーン記憶手段を付加したことを特徴とする請求項３記載の遠隔監視制御システムのセレクタスイッチ。
【請求項６】
前記第２の操作手段では時間経過に伴って負荷の光出力を増加または減少させるフェードの機能が選択可能であって、前記データメモリには一括して制御する負荷の組にフェードを行う時間を対応付ける領域が設けられていることを特徴とする請求項１記載の遠隔監視制御システムのセレクタスイッチ。
【発明の詳細な説明】
【０００１】
【発明の属する技術分野】
本発明は、負荷を遠方から監視制御する遠隔監視制御システムに用いられ、遠隔監視制御システムに含まれる負荷全体について動作の監視や指示を可能とし、かつ複数個の負荷を１つのスイッチで一括して制御しようとするときにスイッチへの負荷の割付を可能とする遠隔監視制御システムのセレクタスイッチに関するものである。
【０００２】
【従来の技術】
従来より、図１１に示すように、伝送ユニット４１に２線式の信号線Ｌｓを介して複数個の端末器４２，４３を接続し、端末器（以下では、操作端末器という）４２に設けたスイッチＳＷの操作に応じて端末器（以下では、制御端末器という）４３に設けたリレー（図示せず）を介して負荷Ｌを制御するようにした遠隔監視制御システムが提供されている。操作端末器４２および制御端末器４３にはそれぞれアドレスが設定され、スイッチＳＷの操作による監視データが操作端末器４２に入力されると伝送ユニット４１に監視データが伝送され、伝送ユニット４１では監視データを受け取ると、アドレスによって操作端末器４２との対応関係が設定された制御端末器４３に対して監視データに対応した制御データを伝送し、制御端末器４３を介して負荷Ｌを制御する。伝送ユニット４１、操作端末器４２、制御端末器４３はいずれもマイクロプロセッサを主構成としている。
【０００３】
伝送ユニット４１は信号線Ｌｓに対して、図１２（ａ）（ｂ）のような形式の伝送信号Ｖｓを送出する。すなわち、伝送信号Ｖｓは、信号送出開始を示すスタートパルス信号ＳＹ、信号モードを示すモードデータ信号ＭＤ、操作端末器４２や制御端末器４３を各別に呼び出すためのアドレスデータを伝送するアドレスデータ信号ＡＤ、負荷を制御するための制御データを伝送する制御データ信号ＣＤ、伝送エラーを検出するためのチェックサムデータ信号ＣＳ、操作端末器４２や制御端末器４３からの返送信号を受信するタイムスロットである信号返送期間ＷＴよりなる複極（±２４Ｖ）の時分割多重信号であり、パルス幅変調によってデータが伝送されるようになっている。
【０００４】
各操作端末器４２および各制御端末器４３では、信号線Ｌｓを介して受信した伝送信号Ｖｓのアドレスデータがそれぞれに設定されているアドレスデータに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。
【０００５】
また、伝送ユニット４１は、常時は伝送信号Ｖｓに含まれるアドレスデータをサイクリックに変化させて操作端末器４２および制御端末器４３を順次アクセスする常時ポーリングを行う常時ポーリング手段が設けられる。常時ポーリングの際には、伝送信号Ｖｓに含まれるアドレスデータが一致した操作端末器４２または制御端末器４３では、伝送信号Ｖｓに含まれる制御データを取り込むことになる。一方、伝送ユニット１には、いずれかの操作端末器４２から発生した図１２（ｃ）のような割込信号Ｖｉを受信したときに割込信号を発生した操作端末器４２を検出した後、その操作端末器４２にアクセスして監視データを返送させる割込ポーリング手段も設けられている。
【０００６】
すなわち、伝送ユニット４１では、常時は常時ポーリング手段によってアドレスデータをサイクリックに変更した伝送信号Ｖｓを信号線Ｌｓに送出しており、操作端末器４２から発生した割込信号Ｖｉを伝送信号Ｖｓのスタートパルス信号ＳＹに同期して検出すると、割込ポーリング手段によって伝送ユニット４１からモードデータ信号ＭＤを割込ポーリングモードとした伝送信号Ｖｓを送出する。割込信号Ｖｉを発生した操作端末器４２は、割込ポーリングモードの伝送信号Ｖｓのアドレスデータの上位ビットが一致していると、その伝送信号Ｖｓの信号返送期間ＷＴに同期して操作端末器４２に設定されているアドレスデータの下位ビットを返信データとして返送する。このようにして伝送ユニット４１では割込信号Ｖｉを発生した操作端末器４２のアドレスを獲得し、獲得したアドレスを用いて操作端末器４２をアクセスすることによって、操作端末器４２に接続されたスイッチＳＷの操作状態に対応した操作データを返信データとして受け取る。また、伝送ユニット４１における割込ポーリング手段では、割込信号Ｖｉを発生した操作端末器４２から下位アドレスが返送されなければ、上位アドレスを変更して割込ポーリングモードの伝送信号Ｖｓを再送する。
【０００７】
このようにして、割込信号Ｖｉを発生した操作端末器４２のアドレスを伝送ユニット４１が獲得すると、伝送ユニット４１では操作端末器４２に対して監視データの返送を要求する伝送信号Ｖｓを送出し、操作端末器４２はスイッチＳＷの操作に対応した監視データを伝送ユニット４１に返送する。監視データを受け取った伝送ユニット４１は、アドレスの対応関係によって操作端末器４２にあらかじめ対応付けられている制御端末器４３に対する制御データを生成し、この制御データを含む伝送信号Ｖｓを信号線Ｌｓに送出して制御端末器４３を通して負荷Ｌを制御する。ここに、操作端末器４２と制御端末器４３とのアドレスは、端末器を識別するチャンネルと、スイッチＳＷおよび負荷Ｌの回路を識別する負荷番号とからなり、現状の製品ではチャンネルは６４チャンネル、負荷番号は各チャンネルごとに４回路ずつ設定される。つまり、各操作端末器４２および各制御端末器４３ごとにチャンネルが設定され、各操作端末器４２および各制御端末器４３にはそれぞれ最大で４回路のスイッチＳＷまたは負荷Ｌが接続可能になっている。したがって、合計２５６回路の負荷Ｌが制御可能である。
【０００８】
ところで、この種の遠隔監視制御システムでは、スイッチＳＷと負荷Ｌとを一対一に対応させる個別制御と、１つのスイッチＳＷに複数の負荷Ｌを対応付けて１つのスイッチＳＷの操作で複数の負荷Ｌを一括して制御する一括制御との制御が可能である。また、制御端末器４３が負荷Ｌを調光制御できるように構成されている場合には、操作端末器４２の操作により負荷Ｌを調光制御することができる。一括制御については、複数の負荷Ｌを同じ状態に制御するグループ制御と、複数の負荷Ｌを各別にあらかじめ設定した制御状態にするパターン制御とが可能になっている。このように、各スイッチＳＷは、個別制御、グループ制御、パターン制御、調光制御のいずれかの制御方法で負荷Ｌを制御することになる。操作端末器４２と制御端末器４３とについてアドレス（チャンネル＋負荷番号）の対応関係は、個別制御では一対一対応になり、グループ制御やパターン制御では一対多対応になる。また、調光制御は個別制御の場合と一括制御の場合とがある。
【０００９】
上述のような個別制御や一括制御におけるスイッチＳＷと負荷Ｌとの対応関係は、伝送ユニット４１のメモリに設けた関係データ記憶部に設定される。すなわち、施工時には、各操作端末器４２および各制御端末器４３へのアドレスの設定が終了した後、スイッチＳＷと負荷Ｌとの対応関係を関係データ記憶部に設定することによって、スイッチＳＷの操作に対して所望の負荷Ｌを制御することが可能になる。ここに、個別制御におけるスイッチＳＷと負荷Ｌとの対応関係は同アドレスが対応するようにしてあり、操作端末器４２および制御端末器４３にアドレスを設定すればスイッチＳＷと負荷Ｌとの対応関係は自動的に設定されるようになっている。ただし、操作端末器４２と制御端末器４３とは端末器種別のデータによって区別される。一方、一括制御におけるスイッチＳＷと負荷Ｌとの対応関係を設定する作業は、スイッチＳＷを用いて行うと煩雑になるから、一括制御におけるスイッチＳＷと負荷Ｌとの対応関係を関係データ記憶部に設定する作業を容易にするために、従来から図１３に示す構成のセレクタスイッチ５０が提供されている。
【００１０】
図示するセレクタスイッチ５０は、伝送ユニット４１によって管理可能な（つまり関係データ記憶部に登録可能な）回路数分のスイッチＳＷに割り当てることができる選択スイッチＳＳを備える。ただし、上述したように伝送ユニット４１では２５６回路のスイッチＳＷに対応可能であるから、２５６個の選択スイッチＳＳを設けるとセレクタスイッチ５０が非常に大型化することになる。そこで、図示するセレクタスイッチ５０では、１チャンネル当たり４個の選択スイッチＳＳとして、１６チャンネル分で６４個の選択スイッチＳＳを設け、各選択スイッチＳＳをそれぞれ４チャンネルに対応付けている。各選択スイッチＳＳには、２個の発光ダイオードＬＤ１，ＬＤ２からなる動作表示部５１がそれぞれ対応付けられている。また、１チャンネル分の４個の選択スイッチＳＳごとにそれぞれ１つのチャンネル表示部５２が設けられている。各チャンネル表示部５２には、それぞれ４個の数字が表記され、そのうちの１個ずつが択一的に点灯表示されるようになっている。ここに、チャンネル表示部５２は各数字に対応した複数個の面発光ダイオードにより構成されている。このようにして１つの選択スイッチＳＳを４チャンネルに対応させている。各選択スイッチＳＳに４チャンネルのうちのどのチャンネルを対応させるかは、セレクタスイッチ５０の器体６０の前面側に設けた扉６１内に配置されているチャンネル切換スイッチＳ２１により選択される。つまり、チャンネル切換スイッチＳ２１を１回押操作するたびに、０〜１５、１６〜３１、３２〜４７、４８〜６３の数字がチャンネル表示部５２に順に点灯表示される。このような構成によって６４個の選択スイッチＳＳで２５６回路分のスイッチＳＷに相当する機能を実現することができる。
【００１１】
セレクタスイッチ５０における選択スイッチＳＳはすべてが個別制御用のスイッチＳＷに相当し、選択スイッチＳＳを用いてもパターン制御やグループ制御のような一括制御を行うことはできない。つまり、パターン制御やグループ制御に用いるスイッチＳＷには、信号線Ｌｓに接続された操作端末器４２に監視データを与えるスイッチＳＷを用いる。そこで、どのスイッチＳＷをパターン制御用やグループ制御用とするかを選択するために、器体６０の扉６１内にアドレス選択スイッチＳ２２が配置されている。アドレス選択スイッチＳ２２は、３桁のアドレスを各桁ごとに選択し、選択されたアドレスは７セグメントの発光ダイオードからなる表示部５３に表示される。
【００１２】
また、パターン制御にするかグループ制御にするかは、パターン選択スイッチＳ２３、グループ選択スイッチＳ２４のいずれかを操作することにより選択される。すなわち、パターン制御やグループ制御において一括制御する負荷ＬをスイッチＳＷに対応付けるには、まずパターン制御かグループ制御かの別をパターン選択スイッチＳ２３とグループ選択スイッチＳ２４との一方を操作することによって選択し、さらにパターンアドレスまたはグループアドレスを設定するためにアドレス選択スイッチＳ２２によりアドレスを選択する。その後、選択スイッチＳＳなどを用いて一括制御すべき負荷Ｌを選択するのである。
【００１３】
セレクタスイッチ５０には、オールオンスイッチＳ１２、オールオフスイッチＳ１３、オールエリア外スイッチＳ１４も設けられている。オールオンスイッチＳ１２はすべての負荷Ｌをオンにする機能を有する。したがって、パターン制御の設定の際にオンにする負荷Ｌが多いときには、オールオンスイッチＳ１２の操作後にオフにすべき負荷Ｌについてのみ選択スイッチＳＳで選択することによって、選択スイッチＳＳの操作回数を少なくすることができる。オールオンスイッチＳ１２はグループ制御の設定の際にも用いることができる。また、オールオフスイッチＳ１３はすべての負荷Ｌをオフにする機能を有し、パターン制御の設定の際にオフにする負荷Ｌが多いときに利用することができる。オールエリア外スイッチＳ１４はグループ制御の設定の際にすべての負荷Ｌをグループ制御の制御対象から除外するものである。
【００１４】
セレクタスイッチ５０は上述のように一括制御の設定を行うほか、選択スイッチＳＳを個別制御の際の制御用としても用いることが可能である。設定用とするか制御用とするかの切換は、スライドスイッチからなるモード切換スイッチＳ２６により行う。
【００１５】
セレクタスイッチ５０によって設定された一括制御の内容はセレクタスイッチ５０に設けたメモリに一旦格納されるが、実際に負荷Ｌの制御に用いるには伝送ユニット４１の関係データ記憶部に転送しなければならない。そこで、セレクタスイッチ５０には設定したデータを伝送ユニット４１に伝送するように指示する出力スイッチＳ２７が設けられる。また、関係データ記憶部の設定内容を変更するような場合には、伝送ユニット４１の関係データ記憶部に設定されているデータを取り込んで修正すれば設定作業が容易になるから、関係データ記憶部からセレクタスイッチ５０にデータの転送を指示するための入力スイッチＳ２８も設けられる。さらに、接続ミスや操作ミスによって表示部５３にエラーが表示される場合には、リセットスイッチＳ２９を操作してセレクタスイッチ５０の内部状態を初期化することができる。
【００１６】
上述したパターン選択スイッチＳ２３、グループ選択スイッチＳ２４、出力スイッチＳ２７、入力スイッチＳ２８には、操作時に点灯する発光ダイオードからなる表示部５４が付設され、操作によって選択された状態が継続していることを示すようになっている。
【００１７】
【発明が解決しようとする課題】
上述したセレクタスイッチ５０は、壁等に固定された形で用いられる据置型であり、器体６０の前面が大型で多数の選択スイッチＳＳのほか、動作表示部５１やチャンネル表示部５２も多数個配列できるから、パターン制御やグループ制御における全体の設定状態の確認が容易になっている。一方、最近では負荷Ｌとして照明負荷を用いる場合に、室内の照明環境をより快適にしたり照明によって室内の雰囲気を変えたりするために、照明負荷の光出力を調節可能にすることへの需要が高まってきている。したがって、パターン制御やグループ制御に際しても照明負荷の調光レベルまで合わせて設定することが要求されてきている。
【００１８】
しかしながら、上述したセレクタスイッチ５０では個々の選択スイッチＳＳが各回路（アドレス）ごとのスイッチＳＷとしての機能しか持たないものであるから、調光レベルを設定することはできず、調光制御を含むパターン制御やグループ制御には対応できていないのが現状である。
【００１９】
一方、調光レベルも含むパターン制御やグループ制御の設定を可能とした図１４に示す形状の可搬型の設定器４４が提案されている。しかしながら、可搬型とするために小型の表示器４５に少数のスイッチ４６を組み合わせて表示器４５の画面の表示内容を切り換えながらパターン制御やグループ制御の設定を行う構成を採用しており、図１５のように表示器４５の画面には少数の情報（たとえば、４回路分の情報）しか提示できないものであるから、小規模の（回路数の少ない）遠隔監視制御システムにおいてはパターン制御やグループ制御の設定が可能ではあっても、大規模の遠隔監視制御システムに適用するには操作が煩雑になり実用的ではない。
【００２０】
本発明は上記事由に鑑みて為されたものであり、その目的は、調光制御を含む一括制御の設定を可能とし、しかも多回路について設定する際の操作が容易である遠隔監視制御システムのセレクタスイッチを提供することにある。
【００２１】
【課題を解決するための手段】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による照明負荷たる負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な多数個の選択部を備えた第１の操作手段と、１つのスイッチと複数の負荷との対応付けに用いる機能を選択する第２の操作手段と、第１の操作手段の選択部ごとに負荷の調光レベルの設定を対応付けた第３の操作手段と、第１ないし第３の操作手段による設定内容を表示する表示手段と、第１の操作手段により設定された各負荷ごとのオン・オフの別を格納するオンオフデータ格納領域と第３の操作手段により設定された各負荷の調光レベルを格納するレベルデータ格納領域とを備え負荷ごとにオン／オフデータとレベルデータとを対応付けて格納するデータメモリと、前記データメモリに格納されているデータを伝送ユニットに転送する手段とを備え、表示手段は、第１の操作手段の選択部に対応付けて配置した表示器を備え、表示器において第１の操作手段でオンを選択した負荷に対応する部位に第３の操作手段で選択した調光レベルが表示されるものである。この構成によれば、調光制御を含む一括制御の設定が可能になるとともに、多数個の選択部を備えた第１の操作手段を用いることによって、多回路について設定する際の操作が容易になる。また、多回路の状態が調光レベルを含めて一覧可能になる。
【００２２】
請求項２の発明は、請求項１の発明において、前記調光レベルが、１段階の光出力の変化が視覚的に認識できる程度となるように設定された複数段階から選択されるものである。この構成によれば、調光レベルの設定時に必要以上に多段階に切り換える必要がなく、視覚的に認識できる程度に粗く調光レベルを設定することができるから実用的であり、かつ調光レベルの設定操作が容易になる。とくに、調光レベルの設定に１回の押操作毎に調光レベルが１段階変化するような操作部を用いる場合には、多段階であると所望の調光レベルに達するまでに手間がかかるが、調光レベルを設定する段階を少なくすることにより、所望の調光レベルが得られるまでの手間が少なくなる。
【００２３】
請求項３の発明は、請求項１の発明において、前記調光レベルが、伝送ユニットから制御端末器に伝送される伝送信号に含まれる調光レベルを獲得してデータメモリに設定されるものである。この構成によれば、伝送ユニットから制御端末器に伝送される伝送信号に含まれる調光レベルをデータメモリに格納するから、負荷の実際の光出力を確認して調光レベルを設定することができる。
【００２４】
請求項４の発明は、請求項３の発明において、前記データメモリに一括して制御する負荷を設定するとともに、伝送信号によって負荷の調光レベルを制御している状態で、データメモリ中のオンに設定された負荷に関する調光レベルを伝送信号から獲得してデータメモリに設定するシーン記憶手段を付加したものである。この構成によれば、一括制御する対象のオン・オフを決めておき、オンにした負荷の光出力を実際に調節した後に、オンである負荷の調光レベルを伝送信号から獲得してデータメモリに設定するから、実際の明るさを確認した上で調光制御を含む一括制御のためのデータを作成することができる。
【００２５】
請求項５の発明は、請求項３の発明において、一括して制御する負荷を前記第１の操作手段により選択するとともに、伝送信号によって負荷の調光レベルを制御している状態で、第１の操作手段により選択された負荷のオン・オフと調光レベルとを伝送信号から獲得してデータメモリに設定するシーン記憶手段を付加したものである。この構成によれば、一括制御する対象の負荷を決めておき、実際に各負荷をオン・オフさせたり光出力を調節したりした後に、制御対象の負荷についてのみ負荷のオン・オフと調光レベルとを伝送信号から獲得してデータメモリに設定するから、制御内容を実際に確認した上で調光制御を含む一括制御のためのデータを作成することができる。
【００２６】
請求項６の発明は、請求項１の発明において、前記第２の操作手段では時間経過に伴って負荷の光出力を増加または減少させるフェードの機能が選択可能であって、前記データメモリには一括して制御する負荷の組にフェードを行う時間を対応付ける領域が設けられているものである。この構成によれば、フェードの制御も含めた一括制御が可能になる。
【００２７】
【発明の実施の形態】
本実施形態は、図１に示すように、従来構成のセレクタスイッチ５０において扉６１内に配置されていた各種スイッチに対応する表示部（表示部５３、表示部５４）の表示内容を液晶表示器からなる１つの表示器１１に表示するとともに、従来構成における動作表示部５１およびチャンネル表示部５２の表示内容を液晶表示器からなる表示器１２に表示するようにしたものである。ここに、表示器１２はチャンネルごとに設けてあり、合計１６個の表示器１２が設けられている。また、表示器１１，１２にはともにドットマトリクス型のものを用いている。本実施形態では、オールオンスイッチＳ１２、オールオフスイッチＳ１３、オールエリア外スイッチＳ１４、出力スイッチＳ２７、入力スイッチＳ２８、リセットスイッチＳ２９は設けず、アドレス選択スイッチＳ２２に代えてテンキーＫ１１を設けてある。さらに、モード切換スイッチＳ２６はスライドスイッチに代えて押操作されるモードキーＫ１２としてある。オールオンスイッチＳ１２、オールオフスイッチＳ１３、オールエリア外スイッチＳ１４、出力スイッチＳ２７、入力スイッチＳ２８で実現されていた機能は表示器１１の画面上で選択可能としてあり、表示器１１の画面上では従来構成では実現されていなかった機能も選択可能になっている。さらに、本実施形態では調光制御を行う制御端末器４３にも対応可能としてある。
【００２８】
モードキーＫ１２を押操作すれば、複数の選択肢が表示器１１に循環的に表示される。ここに、選択肢のうちの１つは反転表示される。表示器１１の側方には上下の矢印キーＫ１３が設けられており、矢印キーＫ１３を押操作すれば選択肢の反転表示の位置が上下に移動する。表示器１１の側方には戻りキーＫ１４および実行キーＫ１５も配置され、所望の選択肢が反転表示されている状態で実行キーＫ１５を押操作すれば、反転表示されていた選択肢の内容が選択される。パターン制御ないしグループ制御の設定を行う機能は１つの画面にまとめられており、その画面では、テンキーＫ１１の上に配列してある機能選択キーＫ１６を用いて、従来構成におけるパターン選択スイッチＳ２３、グループ選択スイッチＳ２４などの機能を実現し、またテンキーＫ１１を用いて従来構成のアドレス選択スイッチＳ２２に相当する機能を実現する。機能選択キーＫ１６にはパターン制御、グループ制御の選択のほか、個別制御、調光制御の選択を可能にするキーも設けられている。また、別の画面上では、「オールオン」「オールオフ」「オールエリア外」等を選択することができ、この画面によって、オールオンスイッチＳ１２、オールオフスイッチＳ１３、オールエリア外スイッチＳ１４の機能が実現される。表示器１１の画面内容は階層化されており、戻りキーＫ１４の押操作毎に一つ上の階層の画面に戻ることが可能になっている。つまり、キーＫ１１〜Ｋ１６は第２の操作手段および第３の操作手段として機能する。
【００２９】
一方、各表示器１２には４個ずつの選択キーＫ１７が対応付けられており、表示器１２には４個１組の選択キーＫ１７に対応するチャンネルを表示することができる。選択キーＫ１７は第１の操作手段として機能し従来構成における選択スイッチＳＳに相当する。表示器１２は１６個であるが６４チャンネルまで対応可能とするために、各表示器１２には４個のチャンネルを択一的に表示する。器体６０の前面において表示器１２が配列されている領域の下部には、各表示器１２に表示する４個のチャンネルを選択するためのページキーＫ１８が設けられている。つまり、ページキーＫ１８を押操作することによって、表示器１２に表示されるチャンネルを切り換えることができる。表示器１２には４個の選択キーＫ１７に対応して「○」と「×」との記号を表示する領域が設けられ、「○」により負荷のオンを示し、「×」により負荷のオフを示す。つまり、これらの記号は従来構成における動作表示部５１の機能を実現している。このように、表示器１２によって従来構成における動作表示部５１とチャンネル表示部５２との機能が実現される。つまり、表示器１１，１２は表示手段として機能する。
【００３０】
図から明らかなように、本実施形態では選択キーＫ１７を横方向の一直線上に配列するのではなく、左右に隣り合う選択キーＫ１７が上下にずれて位置するように配列してある。つまり、左端の選択キーＫ１７に対してその右隣りの選択キーＫ１７は上側に配置され、さらに右隣りの選択キーＫ１７は左端の選択キーＫ１７と同じ上下位置に配置され、右端の選択キーＫ１７は左端の選択キーＫ１７の上側に配置されることになる。言い換えると、選択キーＫ１７は千鳥状に配列されている。このような配置を採用したことによって、選択キーＫ１７を左右方向の一直線上に配列する場合に比較すると、左右方向の幅を変えることなく隣り合う選択キーＫ１７の間の距離を大きくすることができ、左右方向の限られた寸法内に選択キーＫ１７を配置する場合でも押し間違える可能性を低減することができる。また、選択キーＫ１７の間隔を大きくするために、選択キーＫ１７の面積を小さくする必要もない。
【００３１】
本実施形態において用いる各種キーＫ１１〜Ｋ１８は、銘板として器体６０のカバー２３の前面に貼着されるメンブレンシートに一体に設けられている。すなわち、合成樹脂シートからなるメンブレンシートの一部に前方へ突出する膨出部を形成し、膨出部に対応させてスイッチの接点となる電極を設けている。メンブレンシートは２枚のシートを重ね合わせて形成され、一方のシートに不連続部分を有する固定側の電極を設け、他方のシートに設けた膨出部に可動側の電極を設け、膨出部を押下したときに可動側の電極が固定側の電極の不連続部分に跨るように接触して固定側の電極を導通させる構造としてある。以下では、キーＫ１１〜Ｋ１８を備えるメンブレンシートをメンブレンスイッチ３０と呼ぶ。
【００３２】
本実施形態において説明したセレクタスイッチ５０は、図２に示す構成を有している。基本的には、上述した機能を実現するためのプロセッサ７１と、信号線Ｌｓに接続されて伝送ユニット４１との間で伝送信号Ｖｓを授受する機能を実現するためのプロセッサ７２とを備え、両プロセッサ７１，７２の間でデータを共有するためにデュアルポートメモリ（ＲＡＭ）７３を設けてある。これらはデータバスＤＢおよびアドレスバスＡＲを介して接続される。プロセッサ７２は伝送ユニット４１との間で伝送信号Ｖｓを授受するための送受信回路７４を備える。また、プロセッサ７２が作業用に用いるＲＡＭ７５およびクロック信号を発生する発振回路７６も設けられる。プロセッサ７１にはリセット回路７７、クロック信号を発生する発振回路７８が設けられる。セレクタスイッチ５０への電源は商用電源から供給され、商用電源をトランス７９で降圧し、電源回路７０で安定化することにより内部電源を得ている。
【００３３】
上述した表示器１１，１２はプロセッサ７１にＬＣＤドライバ回路３１，３２を介して接続されており、メンブレンスイッチ３０の操作はスイッチ入力回路３４を通してプロセッサ７１に入力される。プロセッサ７１の動作を決めるプログラムはフラッシュメモリからなるプログラムメモリ３５に格納され、作成したデータはフラッシュメモリからなるデータメモリ３６に格納される。また、プロセッサ７１には作業用としてのＲＡＭ３７も接続される。さらに、キーＫ１１〜Ｋ１８の操作時における操作音を発生させる際などに用いる圧電ブザー３８および圧電ブザー３８を駆動するブザー回路３８ａや、データメモリ３６に格納したデータのバックアップに用いるＰＣカード３９を接続するためのＰＣカードコネクタ３９ａおよびＰＣカードドライバ回路３９ｂも設けられる。
【００３４】
ところで、本発明の特徴は、多回路の状態を一覧可能としたセレクタスイッチ５０において調光レベルの設定を可能とした点にあり、そのため、データメモリ３６には、図３に示すように、各回路ごとに選択キーＫ１７により設定される負荷Ｌのオン・オフの別を格納するオンオフデータ格納領域Ｄ１だけではなく、各回路ごとに調光レベルを格納するレベルデータ格納領域Ｄ２も設けてある。つまり、各回路ごとにオン／オフデータとレベルデータとが設定可能になっている。回路数は上述のように２５６回路であり、各回路のレベルデータは１２８段階に設定可能になっている。
【００３５】
ところで、一括制御において個々の回路の調光レベルを設定するには、以下のような操作を行う。まず、一括制御の種類を機能選択キーＫ１６により選択し、テンキーＫ１１によりパターン番号ないしグループ番号を入力する。その後、所望の回路に対応する選択キーＫ１７を押操作することによって当該回路の負荷Ｌをオンまたはオフに設定する。ここで、調光制御の可能な回路のうちオンに設定した回路は調光レベルの設定が可能であるから、調光レベルを設定するために機能選択キーＫ１６から調光制御を選択し、矢印キーＫ１３の操作によって表示器１２に所望の調光レベルを表示させる。つまり、上述の操作を行うことによって、表示器１２において選択キーＫ１７でオンを選択した回路に対応する部位に調光レベルが表示される。ここに、矢印キーＫ１３はアップキーとダウンキーとの２個のキーからなり、アップキーを１回押操作すればレベルデータが１段階上昇し、ダウンキーを１回押操作すればレベルデータが１段階下降する。また、この種の操作を行う際に広く採用されているように、アップキーとダウンキーとは、一定時間（数秒）以上押し続けるとレベルデータが連続的に変化するようにしてある。調光レベルを数値で入力できるときにはテンキーＫ１１を用いてもよい。このようにして各選択キー１７に対応付けて調光レベルを設定した後に、実行キーＫ１５を押操作すれば、データメモリ３６にオン／オフデータおよびレベルデータが格納される。なお、キーの操作は一例であって、調光制御を頻繁に行うのであれば、操作性を向上させるために、調光レベルの設定を指示するキーや調光レベルを変更するキーを、機能選択キーＫ１６や矢印キーＫ１３とは別に設けるようにしてもよい。
【００３６】
ところで、上述したように調光レベルは各回路で１２８段階に設定可能ではあるが、照明負荷の調光範囲を１２８段階に分割すると、１段階に対応する光出力の変化の幅は視覚的にはほとんど認識できない程度になる。このように調光レベルを多段階に設定できるようにすれば、フェードインやフェードアウトのように照明負荷の光出力を時間経過に伴って連続的に変化させる場合には各段階での光出力の変化を意識させずに変化が連続しているかのように認識させることが可能になるのであるが、光出力を時間経過に伴って連続的に変化させる必要がなければ、これほど多段階に光出力を設定する必要はない。そこで、このような場合には、視覚的に認識できる程度の変化幅が得られる程度の少ない段数で調光レベルを変化させるのが望ましい。たとえば、図４に示すように１２８段階に分割されている調光レベルを７段階に対応付け、矢印キーＫ１３を用いる場合には調光レベルを７段階に変化させるようにすれば、調光レベルの設定に要する操作回数が低減するとともに、視覚特性から見て実用的な調光レベルの設定が可能になる。ここに、１２８段階から７段階への対応付けは変化幅を均等にしてもよいが（つまり、１２８段階に分割されている調光レベルの１８段階分を７段階に分割する際の１段階分に対応付ける）、視覚特性を考慮して不均等に対応付けるようにし、７段階に分割したときの１段階ごとの光出力の変化が視覚的にはほぼ均等に認識されるような対応付けとすればよい。
【００３７】
パターン制御やグループ制御のような一括制御においても上述の手順によって調光レベルの設定が可能になるのであるが、設定時に調光レベルを入力しても設定されたデータが伝送ユニット４１に転送された後でなければ、照明負荷の光出力に反映されないから、設定された調光レベルが実際にはどの程度の明るさになるのかを設定時に知ることはできない。そこで、調光レベルに対応する明るさを確認した上で調光レベルを設定する技術について以下に説明する。
【００３８】
ここでは、伝送ユニット４１が制御端末器４３に対して伝送信号Ｖｓによって各回路の照明負荷のオンオフの情報および調光レベルを伝送していることを利用し、伝送信号Ｖｓから調光レベルを受け取って現状の照明負荷の調光レベルをそのまま利用して一括制御の際の調光レベルを設定し、このことによって照明負荷の実際の明るさを確認して調光レベルを設置できるようにしている。ここにおいて、伝送信号Ｖｓに含まれるオンオフおよび調光レベルのデータを合わせて以下では「回路状態データ」と呼ぶ。また、以下ではパターン制御の設定について説明するが、グループ制御の設定についても同様の技術を適用できる。ただし、グループ制御においてはすべての照明負荷の調光レベルが等しくなるから、パターン制御の設定に比較すると容易である。伝送信号Ｖｓから回路状態データを受け取ってパターン制御の設定を行う技術には具体的には以下の２種類がある。
【００３９】
第１の技術では、パターン制御の設定時にまず選択キーＫ１７を用いて各回路ごとのオンとオフとを設定する。このとき、図５（ａ）のように各回路ごとにオン、オフ、エリア外の情報が設定される。図において調光レベルが設定されているが、ここでは調光レベルはどのような値でもよい。パターン制御においてどの照明負荷をオンにするかのデータを設定した後に、このデータを伝送ユニット４１に転送してパターン制御を行う。この段階では、伝送ユニット４１から制御端末器４３に対して伝送信号Ｖｓによって図５（ｂ）のような照明負荷の調光レベルを含む回路状態データが伝送される。
【００４０】
次に、調光制御用の壁スイッチを用いたり、上述した調光レベルの設定と同様の操作（選択キーＫ１７で選択し、機能選択キーＫ１６で調光制御を選択し、矢印キーＫ１３で調光レベルを設定する操作）を行うことで、照明負荷の調光レベルを設定し、照明負荷の実際の明るさを変化させる。このとき、伝送ユニット４１から制御端末器４３に対して伝送信号Ｖｓによって図５（ｃ）のような照明負荷の調光レベルを含む回路状態データが転送されることになる。そこで、所望の照明負荷が所望の明るさになった状態で、表示器１１を用いて「シーン記憶」の動作を選択すると（つまり、表示器１１に表示された選択肢を選択することがシーン記憶手段に相当する）、パターン制御に用いた各照明負荷のオンオフに関するデータと、伝送ユニット４１が各制御端末器４３に伝送した回路状態データとが突き合わせられ、図５（ｄ）のように、パターン制御のデータにおいてオンが選択されている回路について（図５（ａ））、回路状態データから調光レベルが抽出され（図５（ｃ））、両者を合わせることによってパターン制御のデータが作成される。こうして作成されたパターン制御のデータには、元のパターン制御のデータ（図５（ａ）のデータ）と同じパターン番号が付与され（つまり上書きされ）、データメモリ３６に格納される。このような手順によってパターン制御における調光レベルを設定すれば、調光レベルに対応する明るさを確認した上でパターン制御のデータを設定することができる。
【００４１】
第２の技術では、第１の技術のようにパターン制御の設定を行うのではなく、まず図６（ａ）のように、選択キーＫ１７を用いて各回路ごとに「選択」と「非選択」との別を指定する。つまり、伝送信号Ｖｓの回路状態データをパターン制御のデータとして用いるか否かを指定する。要するに、各回路をパターン制御の対象とするか否かを選択する。この場合、選択キーＫ１７の操作を上述の「選択」と「非選択」とに対応させるために、あらかじめ表示器１１の画面内からモードを選択しておく。選択キーＫ１７による指定が終了すれば、図６（ｂ）のように伝送信号Ｖｓから回路状態データを取得することによって、「選択」した回路についての照明負荷の現状のオンオフと調光レベルとを知ることができる。つまり、壁スイッチなどを用いて所望の照明負荷を所望の明るさにした状態で照明負荷のオンオフや調光レベルのデータがセレクタスイッチ５０に取り込まれるむことができる。ここで、表示器１１を用いて「シーン記憶」の動作を選択すると、図６（ｃ）のように、「選択」された回路について伝送信号Ｖｓに含まれる回路状態データが抽出されてパターン制御のデータが作成される。このような手順によってパターン制御における調光レベルを設定すれば、調光レベルに対応する明るさを確認した上でパターン制御のデータを設定することができる。
【００４２】
ところで、調光制御を行う場合に、フェードイン（時間経過に伴って光出力を増加させる動作）や、フェードアウト（時間経過に伴って光出力を減少させる動作）を行う場合がある。以下では、フェードインとフェードアウトとを合わせてフェードと呼ぶ。フェードは、伝送ユニット４１に設定されるオン・オフの情報によって光出力の変化方向が決まり、伝送ユニット４１に設定されるフェード時間によって変化させる時間が決まる。フェード時間は光出力の時間軸に対する傾斜に対応する。つまり、フェード時間を変化させると光出力の変化率が変化することになる。一括制御においては個々の照明負荷のフェード時間が異なることはなく、一括制御の対象となる照明負荷は同じフェード時間になるから、一括制御を行う際には照明負荷の個数にかかわらずフェード時間は１つだけ決めればよい。このようなフェードの機能をセレクタスイッチ５０から指定可能とするために、本実施形態ではデータメモリ３６において図７に示すように、フェード時間データを記憶するフェード時間格納領域Ｄ３を付加してある。
【００４３】
しかして、フェードの制御を行う場合には、上述した手順によって一括制御のデータとしてオン／オフデータおよびレベルデータを設定し、その後、表示器１１の画面からフェードの機能を用いることを選択し、フェード時間を入力することでフェード時間格納領域Ｄ３にフェード時間データを設定することができる。ここに、フェード時間の入力にはテンキーＫ１１を用いてもよいが、表示器１１によりフェードを選択すると、フェード時間についての複数の選択肢が表示器１１に表示されるようにし、選択肢の中からフェード時間を選択するようにするのが望ましい。
【００４４】
上述のようにしてセレクタスイッチ５０のデータメモリ３６に一括制御に用いるデータが設定されると、このデータは以下のような手順で伝送ユニット４１に転送される。ここで、伝送ユニット４１へのデータの転送時には、信号線Ｌｓに接続されている操作端末器４２と同様に割込信号Ｖｉを出力して伝送ユニット４１に認識させる。つまり、セレクタスイッチ５０から伝送ユニット４１へのデータの転送には、特別なモードを設定するのではなく、負荷Ｌを制御している通常の動作の中での空き時間を利用する。
【００４５】
このため、データの転送には前処理と転送処理と後処理との３段階の処理を行う。図８に示すように伝送ユニット４１では、電源投入時にまずデータの転送状態を「なし」として初期化し、次に前処理として、割込信号Ｖｉの有無を検出し（Ｓ２）、割込信号Ｖｉがあれば通常の割込ポーリングと同様にしてセレクタスイッチ５０からの割込信号Ｖｉか否かを判定し（Ｓ３）、一括制御のためのデータの転送要求か否かを判定する（Ｓ４）。ここで、データの転送要求であれば「要求あり」とし、データの送受信のためにメモリに２５６バイトを確保する（Ｓ５）。ここで、本実施形態では２５６バイトをデータを保持する単位としており（２５６回路分）、２５６バイトを１ページとして扱う。こうして１ページが確保できれば、セレクタスイッチ５０に通知し、データの送信を開始させる。なお、データの転送要求でなければ、通常の操作端末器４２からの割込信号Ｖｉとみなして負荷制御を行う（Ｓ６）。
【００４６】
ところで、セレクタスイッチ５０から伝送ユニット４１にデータを転送する際に用いる信号のデータフォーマットは、図９のようにしてある。ＢＣは転送データ数を表すバイトカウンタ、ＨＤはデータ識別用のデータであるヘッダ、ＳＡは送信先アドレスを表すソースアドレス、ＤＡは送信元アドレスを示すディスティネーションアドレス、ＤＴ１〜ＤＴｎは転送すべきデータ、ＳＵＭは伝送誤りをチェックするチェックサムである。データは１バイトを１データとしてあり、先頭側が下位アドレスのデータに対応する。
【００４７】
したがって、転送処理では、図８にステップＳ７で示すように、転送されたデータを１ステップ（１バイト）ずつ処理し（Ｓ６）、メモリに格納するのである。こうしてデータの転送が終了すれば（Ｓ８）、データの転送状態を「なし」にする（Ｓ９）。データの転送中には（Ｓ１０）上述のようにデータを１バイトずつに区切って登録する処理を行う。また、セレクタスイッチ５０から伝送ユニット４１に対して１回の転送ではデータの転送が終了しないときには、セレクタスイッチ５０が割込信号Ｖｉを再度発生して同様の処理を行う。このようにしてデータの転送が終了すれば、常時ポーリングに移行する（Ｓ１１）。ここに、ステップＳ８，Ｓ９は後処理になる。
【００４８】
上述の処理におけるデータの流れを図１０に示す。以上の動作によって、一括制御のためのデータを伝送ユニット４１に転送する処理を、動作を切り換えることなく照明負荷を制御する処理の空き時間に行うことができる。ここで、セレクタスイッチ５０から伝送ユニット４１に転送するデータ量が多い場合には、信号線Ｌｓのトラフィックが増加して照明負荷の制御に支障をきたすことが考えられるが、転送するデータを適宜に分割して複数回で転送することにより、この種の問題が生じないようにデータの転送を行うことができる。また、この場合に、データの転送の処理は、照明負荷の制御の処理よりも優先度を低くしておき、照明負荷の制御に関する割込信号Ｖｉが生じたときには、照明負荷の制御を優先させるようにする。
【００４９】
【発明の効果】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による照明負荷たる負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な多数個の選択部を備えた第１の操作手段と、１つのスイッチと複数の負荷との対応付けに用いる機能を選択する第２の操作手段と、第１ないし第３の操作手段による設定内容を表示する表示手段と、第１の操作手段により設定された各負荷ごとのオン・オフの別を格納するオンオフデータ格納領域と第３の操作手段により設定された各負荷の調光レベルを格納するレベルデータ格納領域とを備え負荷ごとにオン／オフデータとレベルデータとを対応付けて格納するデータメモリと、前記データメモリに格納されているデータを伝送ユニットに転送する手段とを備え、表示手段は、第１の操作手段の選択部に対応付けて配置した表示器を備え、表示器において第１の操作手段でオンを選択した負荷に対応する部位に第３の操作手段で選択した調光レベルが表示されるものであり、調光制御を含む一括制御の設定が可能になるとともに、多数個の選択部を備えた第１の操作手段を用いることによって、多回路について設定する際の操作が容易になる。また、多回路の状態が調光レベルを含めて一覧可能になる。
【００５０】
請求項２の発明は、請求項１の発明において、前記調光レベルが、１段階の光出力の変化が視覚的に認識できる程度となるように設定された複数段階から選択されるものであり、調光レベルの設定時に必要以上に多段階に切り換える必要がなく、視覚的に認識できる程度に粗く調光レベルを設定することができるから実用的であり、かつ調光レベルの設定操作が容易になる。とくに、調光レベルの設定に１回の押操作毎に調光レベルが１段階変化するような操作部を用いる場合には、多段階であると所望の調光レベルに達するまでに手間がかかるが、調光レベルを設定する段階を少なくすることにより、所望の調光レベルが得られるまでの手間が少なくなる。
【００５１】
請求項３の発明は、請求項１の発明において、前記調光レベルが、伝送ユニットから制御端末器に伝送される伝送信号に含まれる調光レベルを獲得してデータメモリに設定されるものであり、伝送ユニットから制御端末器に伝送される伝送信号に含まれる調光レベルをデータメモリに格納するから、負荷の実際の光出力を確認して調光レベルを設定することができる。
【００５２】
請求項４の発明は、請求項３の発明において、前記データメモリに一括して制御する負荷を設定するとともに、伝送信号によって負荷の調光レベルを制御している状態で、データメモリ中のオンに設定された負荷に関する調光レベルを伝送信号から獲得してデータメモリに設定するシーン記憶手段を付加したものであり、一括制御する対象のオン・オフを決めておき、オンにした負荷の光出力を実際に調節した後に、オンである負荷の調光レベルを伝送信号から獲得してデータメモリに設定するから、実際の明るさを確認した上で調光制御を含む一括制御のためのデータを作成することができる。
【００５３】
請求項５の発明は、請求項３の発明において、一括して制御する負荷を前記第１の操作手段により選択するとともに、伝送信号によって負荷の調光レベルを制御している状態で、第１の操作手段により選択された負荷のオン・オフと調光レベルとを伝送信号から獲得してデータメモリに設定するシーン記憶手段を付加したものであり、一括制御する対象の負荷を決めておき、実際に各負荷をオン・オフさせたり光出力を調節したりした後に、制御対象の負荷についてのみ負荷のオン・オフと調光レベルとを伝送信号から獲得してデータメモリに設定するから、制御内容を実際に確認した上で調光制御を含む一括制御のためのデータを作成することができる。
【００５４】
請求項６の発明は、請求項１の発明において、前記第２の操作手段では時間経過に伴って負荷の光出力を増加または減少させるフェードの機能が選択可能であって、前記データメモリには一括して制御する負荷の組にフェードを行う時間を対応付ける領域が設けられているものであり、フェードの制御も含めた一括制御が可能になる。
【図面の簡単な説明】
【図１】本発明の実施の形態を示す正面図である。
【図２】同上のブロック図である。
【図３】同上に用いるデータメモリの概念図である。
【図４】同上における調光レベルの概念図である。
【図５】同上の動作説明図である。
【図６】同上の動作説明図である。
【図７】同上におけるデータメモリの概念図である。
【図８】同上の動作説明図である。
【図９】同上に用いる信号のデータフォーマットを示す図である。
【図１０】同上の動作説明図である。
【図１１】遠隔監視制御システムの構成例を示す図である。
【図１２】同上の動作説明図である。
【図１３】従来例を示す正面図である。
【図１４】他の従来例を示す正面図である。
【図１５】同上における表示例を示す動作説明図である。
【符号の説明】
１１，１２  表示器
３０  メンブレンスイッチ
３６  データメモリ
４１  伝送ユニット
４２  操作端末器
４３  制御信号線
５０  セレクタスイッチ
７４  送受信回路
Ｄ１  オンオフデータ格納領域
Ｄ２  レベルデータ格納領域
Ｄ３  フェード時間格納領域
Ｋ１１  テンキー
Ｋ１２  モードキー
Ｋ１３  矢印キー
Ｋ１４  戻りキー
Ｋ１５  実行キー
Ｋ１６  機能選択キー
Ｋ１７  選択キー（選択部）
Ｋ１８  ページキー
Ｌ  負荷
Ｌｓ  信号線
ＳＷ  スイッチ
【図１】
0003988372.tif 000002
【図２】
0003988372.tif 000003
【図３】
0003988372.tif 000004
【図４】
0003988372.tif 000005
【図５】
0003988372.tif 000006
【図６】
0003988372.tif 000007
【図７】
0003988372.tif 000008
【図８】
0003988372.tif 000009
【図９】
0003988372.tif 000010
【図１０】
0003988372.tif 000011
【図１１】
0003988372.tif 000012
【図１２】
0003988372.tif 000013
【図１３】
0003988372.tif 000014
【図１４】
0003988372.tif 000015
【図１５】
0003988372.tif 000016